(57)【要約】【課題】    光の結合状態を容易に検知することのできる光スイッチを提供することにある。【解決手段】    光路切換装置３と、プリズム３１に機械的に結合されたアマチュア２１を具備しアマチュア２１を直進移動させる電磁石装置２と、光路切換装置３および電磁石装置２を収納した器体１とを備え、電磁石装置２は、アマチュア２１、平衡ばね２７、鉄芯２５、コイル２３を具備し、各平衡ばね２７が磁極片２５ａ、２５ｂを結ぶ方向において両接極片２１ａ、２１ｂの中間部で前記アマチュア２１に結合されてなる光スイッチであって、器体１に固定されていずれかの光結合状態で平衡ばね２７と接触する導電性部材からなる固定片５ａ、５ｂと、固定片５ａ、５ｂが平衡ばね２７と接触した状態で固定片５ａ、５ｂと平衡ばね２７を電気的に接続して電気回路を形成する導通部と、前記電気回路が形成されたことを表示する表示部とからなる前記光結合状態検知手段を有する。【選択図】  図１
2005241667.tif 000002
【特許請求の範囲】
【請求項１】
プリズム及び当該プリズムに機械的に結合されたアマチュアを具備しこのアマチュアを移動させる電磁石装置と、前記プリズムを移動させることにより複数本の光ファイバの光結合状態を切り換えて光路を変化させる光路切換装置と、前記光路切換装置および前記電磁石装置を収納した器体とを備え、前記電磁石装置は、前記アマチュアと、ばね性を有した板ばねからなり、一部が前記器体に対して定位置に固定されるとともに他の一部が前記アマチュアに結合される平衡ばねと、両端部に磁極片を備える鉄芯と、この鉄芯を励磁するコイルとを備えた光スイッチであって、
前記光結合状態の少なくともひとつを検知して表示する光結合状態検知手段を有することを特徴とする光スイッチ。
【請求項２】
前記光結合状態検知手段は、
器体に固定されて、いずれかの光結合状態で平衡ばねと接触する導電性部材からなる固定片と、
前記アマチュアとともに移動した前記平衡ばねが前記固定片と接触した状態で、前記固定片と前記平衡ばねを電気的に接続して電気回路を形成する導通部と、
前記電気回路が形成されたことを表示する表示部と
からなることを特徴とする請求項１に記載の光スイッチ。
【請求項３】
前記固定片の前記平衡ばねとの接触部位もしくは前記平衡ばねの前記固定片との接触部位の少なくともいずれかに、接点を設けてなることを特徴とする請求項２に記載の光スイッチ。
【請求項４】
前記固定片は、少なくともひとつの光結合状態において、前記アマチュアに対して、他の光結合状態に変化する移動方向にばね負荷を付勢するものであることを特徴とする請求項１乃至３のいずれかに記載の光スイッチ。
【発明の詳細な説明】
【技術分野】
【０００１】
本発明は、複数本の光ファイバの間で光路の組合せを切り換える光スイッチに関するものである。
【背景技術】
【０００２】
器体内部のデッドスペースを小さくすることによって小型化を可能とした機械式の光スイッチとしては、図６に示すように、複数本の光ファイバ４ａ〜４ｄの端面にそれぞれ光結合されたコリメート用のレンズ３５が定位置に配置され直進可能なプリズム３１を用いてレンズ間の光路の組合せを切り換える光路切換装置３と、プリズム３１に機械的に結合されたアマチュア２１を備えてこのアマチュア２１を同図のＸＹ方向に直進移動させる電磁石装置２と、光路切換装置３及び電磁石装置２を収納した器体１とを備え、プリズム３１の移動方向に沿ってそれぞれプリズム３１の移動方向にばね性を有した板ばねからなる平衡ばね２７が配設され、平衡ばね２７の一端が器体に対して定位置に固定され平衡ばね２７の他端がアマチュア２１に結合され、アマチュア２１の移動方向において電磁石装置２と光路切換装置３とが隣接して配置されるものが知られている。このものにあっては、プリズム３１はアマチュア２１に結合されているため、電磁石装置２のコイル２３への通電を制御することによってアマチュア２１が移動すると、プリズム３１がアマチュア２１の移動方向に移動する。このような動作により、プリズム３１をレンズ保持基台３４におけるレンズ台３４ａの間に挿入される位置にきて、光ファイバ４ａと光ファイバ４ｄとが光結合されるとともに光ファイバ４ｂと光ファイバ４ｃとが光結合される状態（セット状態）と、プリズム３１がレンズ台３４ａの間から後退して、光ファイバ４ａと光ファイバ４ｃとが光結合されるとともに光ファイバ４ｂと光ファイバ４ｄとが光結合される状態（リセット状態）の２状態を切り換えることが可能になる（特許文献１）。
【０００３】
このような光スイッチにおいては、平衡ばね２７が付勢するアマチュア２１へのばね負荷が小さい場合には、所望の光結合状態が得られない場合があるものの、それが確認できない、すなわち、平衡ばね２７によってアマチュア２１へ所望のばね負荷が付勢されたかを肉眼で判断することが困難な場合が生じ得る。
【特許文献１】特開２００３−０１５０５９号公報
【発明の開示】
【発明が解決しようとする課題】
【０００４】
本発明は、このような点に鑑みてなされたものであり、その目的とするところは、光の結合状態を容易に検知することのできる光スイッチを提供することを目的としている。
【課題を解決するための手段】
【０００５】
上記した課題を解決するために、本発明の請求項１に係る光スイッチは、プリズム及び当該プリズムに機械的に結合されたアマチュアを具備しこのアマチュアを移動させる電磁石装置と、前記プリズムを移動させることにより複数本の光ファイバの光結合状態を切り換えて光路を変化させる光路切換装置と、前記光路切換装置および前記電磁石装置を収納した器体とを備え、前記電磁石装置は、前記アマチュアと、ばね性を有した板ばねからなり、一部が前記器体に対して定位置に固定されるとともに他の一部が前記アマチュアに結合される平衡ばねと、両端部に磁極片を備える鉄芯と、この鉄芯を励磁するコイルとを備えた光スイッチであって、前記光結合状態の少なくともひとつを検知して表示する光結合状態検知手段を有することを特徴とする。
【０００６】
本発明の請求項２に係る光スイッチは、前記光結合状態検知手段は、器体に固定されて、いずれかの光結合状態で平衡ばねと接触する導電性部材からなる固定片と、前記アマチュアとともに移動した前記平衡ばねが前記固定片と接触した状態で、前記固定片と前記平衡ばねを電気的に接続して電気回路を形成する導通部と、前記電気回路が形成されたことを表示する表示部とからなることを特徴とする。
【０００７】
本発明の請求項３に係る光スイッチは、前記固定片の前記平衡ばねとの接触部位もしくは前記平衡ばねの前記固定片との接触部位の少なくともいずれかに、接点を設けてなることを特徴とする。
【０００８】
本発明の請求項４に係る光スイッチは、前記固定片は、少なくともひとつの光結合状態において、前記アマチュアに対して、他の光結合状態に変化する移動方向にばね負荷を付勢するものであることを特徴とする。
【発明の効果】
【０００９】
本発明の請求項１に係る光スイッチによると、前記光結合状態の少なくともひとつを検知して表示する光結合状態検知手段を有するので、平衡ばね２７によってアマチュア２１へ所望のばね負荷が付勢されて所望の光結合状態となっていることを容易に確認することができる。
【００１０】
本発明の請求項２に係る光スイッチによると、上述した請求項１の効果に加えて、前記光結合状態検知手段は、器体に固定されて、いずれかの光結合状態で平衡ばねと接触する導電性部材からなる固定片と、前記アマチュアとともに移動した前記平衡ばねが前記固定片と接触した状態で、前記固定片と前記平衡ばねを電気的に接続して電気回路を形成する導通部と、前記電気回路が形成されたことを表示する表示部とからなるので、いずれかの光結合状態になったときには通電状態の電気回路が形成され、表示部がそれを表示する。そのため、いずれかの光結合状態となったことを確実に検知及び表示することができる。
【００１１】
本発明の請求項３に係る光スイッチによると、上述した請求項２の効果に加えて、前記固定片の前記平衡ばねとの接触部位もしくは前記平衡ばねの前記固定片との接触部位の少なくともいずれかに、接点を設けてなるので、前記固定片と前記平衡ばねとの接触がより確実になり、接触の検知精度がより向上する。
【００１２】
本発明の請求項４に係る光スイッチによると、上述した請求項１の効果に加えて、前記固定片は、少なくともひとつの光結合状態において、前記アマチュアに対して、他の光結合状態に変化する移動方向にばね負荷を付勢するものであるので、光スイッチが一旦組み立てられた後であっても、固定片によりアマチュアにばね負荷を付勢することができる。そのため、光スイッチが組み立てられた結果、平衡ばねによりアマチュアに付勢されるばね負荷に過不足がある場合でも、ばね付勢手段によりアマチュアに所望のばね負荷を付勢して、全体としてアマチュアに付勢されるばね負荷を容易に増減して調整することができる。
【発明を実施するための最良の形態】
【００１３】
（実施形態１）
本発明の第１の実施形態を図１乃至図３に基づいて説明する。図１乃至図３において、１は器体、１ａは器体１の主収納部、１ｂは器体１の導入部、２は電磁石装置、２ａはコイルブロック、２ｂはアマチュアブロック、３は光路切換装置、４ａ〜４ｄは光ファイバ、５ａ、５ｂは固定片、６ａ、６ｂは固定接点、７ａ、７ｂは可動接点、８ａ、８ｂは共通端子、８ｃ、８ｄは導通部、９ａ、９ｂは表示装置、１１はベース、１２はカバー、２１はアマチュア、２１ａ及び２１ｂはアマチュア２１の接極片、２１ｃは主体部、２２はコイル枠、２２ａは端子台、２２ｂは磁石保持片、２２ｃは鍔片、２２ｆは保持溝、２３はコイル、２５は鉄芯、２５ａ及び２５ｂは磁極片、２６は永久磁石、２７は平衡ばね、２７ａはばね片、２７ａａ、２７ａｂ、２７ａｃ、２７ａｄはばね素片、２８は固定板、２９はプリズム取付台、３１はプリズム、３４はレンズ保持基台、３４ａはレンズ台、３４ｂは連結側板、３５はレンズ、３６はピグテール、Ｅは電源である。
【００１４】
図１は、本実施形態における光スイッチの概略を示す分解斜視図であり、図2は、本実施形態におけるアマチュアブロックの概略を示す分解斜視図であり、図３は、本実施形態における光結合状態検知手段の動作の概略を示す側面図である。図１に示すように、器体１は、ベース１１とカバー１２との２部材を結合して組み立てられ、直方体状の主収納部１ａを有し、主収納部１ａの長手方向の両側面における各一端部からそれぞれ筒状の導入部１ｂが突設された形状に形成されている。主収納部１ａおよび両導入部１ｂは、いずれもベース１１とカバー１２とを突き合わせて形成されている。この主収納部１ａには以下に詳述する光路切換装置３および電磁石装置２が収納され、両導入部１ｂには光路切換装置３に結合するための４本の光ファイバ４ａ〜４ｄが（より詳細には、一方の導入部１ｂには２本の光ファイバ４ｃ、４ｄが、他方の導入部１ｂには２本の光ファイバ４ａ、４ｄが）収納される。
【００１５】
光路切換装置３は、４本の光ファイバ４ａ〜４ｄ間の光結合関係をプリズム３１の有無によって切り換えるものであって、光路を形成する光ファイバ４ａ〜４ｄの端末を保持するために焼結合金により形成されたレンズ保持基台３４が設けられる。レンズ保持基台３４は、各２個のレンズ（コリメートレンズ）３５を保持する角柱状の一対のレンズ台３４ａを備え、両レンズ台３４ａはレンズ３５の一端面を互いに対向させるように配置される。すなわち、レンズ台３４ａに保持された各２個のレンズ３５は互いに対向するように配置され、そのため、光ファイバ４ａ，４ｂと光ファイバ４ｃ，４ｄとの間で光を通過させることが可能になる。
【００１６】
光ファイバ４ａ〜４ｄの端末部は円筒状に形成されたピグテール３６に結合され、ピグテール３６の端面がレンズ３５と接着されることによって、光ファイバ４ａ〜４ｄとレンズ３５とが光結合される。なお、レンズ３５はコリメータレンズであって、レンズ台３４ａの間での光を平行光線にするために設けられている。レンズ保持基台３４に保持されたピグテール３６および光ファイバ４ａ〜４ｄは、ベース１１とカバー１２との導入部１ｂにそれぞれ収納される。
【００１７】
また、両レンズ台３４ａにおいて図１における手前の側面間は連結側板３４ｂにより連結され、図１における下面間は連結下板により連結される。一方、電磁石装置２を構成するコイル枠２２の端子台２２ａには幅方向の両側に開放された保持溝２２ｆが設けられる。保持溝２２ｆの内部には鉄芯２５の一部が露出しており、この露出部位にはねじ受け穴に重複する挿通孔が貫設される。
【００１８】
電磁石装置２は、合成樹脂成形品のコイル枠２２を備えるコイルブロック２ａと、アマチュア２１を備えるアマチュアブロック２ｂとにより構成される。コイル枠２２は長手方向の両端部に端子台２２ａを有するとともに、長手方向の中央部に磁石保持片２２ｂを有し、端子台２２ａには磁石保持片２２ｂと対向する鍔片２２ｃが形成される。各端子台２２ａに設けた鍔片２２ｃと磁石保持片２２ｂとの間の部位にはコイル２３の巻線が巻装される。
【００１９】
このコイル枠２２は断面Ｕ字状の鉄芯２５を保持しており、鉄芯２５の中央片はコイル枠２２においてコイル２３が巻装されている部位の内部を通り、鉄芯２５の両端部に設けた磁極片２５ａ、２５ｂはそれぞれ端子台２２ａから突出する。磁極片２５ａ、２５ｂの先端部は鍔片２２ｃを越えてコイル２３よりも外側に突出する。また、磁石保持片２２ｂには永久磁石２６が埋設され、永久磁石２６の一方の磁極は鉄芯２５の中央片に磁気結合され、他方の磁極は磁石保持片２２ｂの外周面に露出する。ここに、鉄芯２５の磁極片２５ａ、２５ｂが突出する向きと永久磁石２６の磁極が磁石保持片２２ｂから露出する面の向きとは同じ向きになっている。
【００２０】
アマチュア２１は、鉄芯２５の各磁極片２５ａ、２５ｂにそれぞれ離接可能な接極片２１ａ、２１ｂを扁平な四角形板状の主体部２１ｃの両端部に備えるとともに、主体部２１ｃの一方の側面にプリズム取付台２９が連続一体に突設されている。各磁極片２１ａ、２１ｂは、主体部２１ｃの長手方向の各端面において、主体部２１ｃの幅方向の互いに異なる端部から移動方向と直交する方向に延設されているとともに、コイルブロック２ａの幅方向において、一方の接極片２１ａが磁極片２５ａの一面に対向した場合には、他方の接極片２１ｂは磁極片２５ｂの他面に対向する関係となるよう接極片２１ａ、２１ｂの中心間距離と鉄芯２５の磁極片２５ａ、２５ｂの中心間距離とがほぼ一致するよう接極片の幅寸法が設定されている。
【００２１】
このアマチュア２１は、板ばねからなる平衡ばね２７を介して一対の固定板２８に結合され、各固定板２８はコイルブロック２ａに設けた端子台２２ａに結合される。平衡ばね２７はアマチュア２１の各側面に対向するとともにアマチュア２１の長手方向に沿って延長された一対のばね片２７ａと、両ばね片２７ａの長手方向の両端部をそれぞれＬ字状に折曲して形成した取付片２７ｂと、両ばね片２７ａの長手方向の中央部間を連結する連結片２７ｃとを連続一体に備える形状に金属のばね材料により形成される。つまり、連結片２７ｃにおけるアマチュア２１の移動方向の各端部にそれぞればね片２７ａが連続一体に設けられる。さらに、平衡ばね２７には、両ばね片２７ａの長手方向の両端部において取付片２７ｂと直交する形で両ばね片２７ａ間を連結する橋絡片２７ｄが設けられ、平衡ばね２７に他部材を結合しない状態でもばね片２７ａが広がるのを防止してある。
【００２２】
ばね片２７ａの各端部に設けた取付片２７ｂは、それぞれ固定板２８に重ねられ固定板２８にそれぞれかしめ固定される。各固定板２８にはそれぞれ挿入片２８ａが突設され、各挿入片２８ａは端子台２２ａに設けた固定孔２２ｅに圧入されることにより固定板２８がコイル枠２２に固定される。つまり、各ばね片２７ａは連結片２７ｃによって独立して可撓となる２つの部分を有することになる。言い換えると、アマチュア２１は、一方の固定板２８と連結片２７ｃとの間を連結する両側一対のばね素片２７ａａ、２７ａｂで支持されるとともに、他方の固定板２８と連結片２７ｃとの間を連結する両側一対のばね素片２７ａｃ、２７ａｄで支持されることになり、合計４本のばね素片２７ａａ〜２７ａｄで支持されていることになる。また、連結片２７ｃは、アマチュア２１の移動方向（幅方向）における一端部が２つの分岐片２７ｆを有する二股状に形成されており、各分岐片２７ｆにそれぞればね素片２７ａｂ、２７ａｄが連続一体に設けられた形になっている。連結片２７ｃは全体としては三叉状に形成され、各片がそれぞれダボ２１ｅによってアマチュア２１に固着される。
【００２３】
このように、アマチュア２１の中央部は永久磁石２６のＮ極に近接しているからアマチュア２１がＮ極に磁化されており、コイル２３に通電して鉄芯２５の片側の磁極片２５ａをＳ極に励磁したときには、磁極片２５ａとアマチュア２１の接極片２１ａとの間に吸引力が作用するとともに、もう片側の磁極片２５ｂとアマチュア２１の接極片２１ｂとの間に反発力が作用して、アマチュア２１が図１における矢印のＸの向きに移動する。ここで、コイル２３への通電を停止しても永久磁石２６の磁力によってアマチュア２１の位置は保持される。一方、コイル２３の通電方向を切り換えて鉄芯２５の反対側の磁極片２５ｂをＳ極に励磁したときには、接極片２１ａと磁極片２５ａとが反発するとともに接極片２１ｂが磁極片２５ｂに吸引されてアマチュア２１が図１における矢印のＹの向きに移動する。この位置で通電を停止した場合も永久磁石２６の磁力によってアマチュア２１の位置は保持される。このように、コイル２３への通電を制御することによって、アマチュア２１を幅方向に平行移動させることが可能になる。
【００２４】
プリズム取付台２９はアマチュア２１の長手方向の中央部においてばね片２７ａと交差する形で形成され、その外表面にプリズム３１が接着等により固定される。そのため、電磁石装置２のコイル２３への通電を制御することによってアマチュア２１が移動すると、プリズム３１がアマチュア２１の移動方向に移動する。つまり、アマチュア２１の移動に伴ってプリズム３１をレンズ保持基台３４におけるレンズ台３４ａの間に挿入される位置とレンズ台３４ａの間から後退する位置との間で移動させることが可能になる。このような動作により、光ファイバ４ａと光ファイバ４ｄとが光結合されるとともに光ファイバ４ｂと光ファイバ４ｃとが光結合される状態（セット状態）と、光ファイバ４ａと光ファイバ４ｃとが光結合されるとともに光ファイバ４ｂと光ファイバ４ｄとが光結合される状態（リセット状態）との２状態を切り換えることが可能になる。
【００２５】
次に、本発明の要旨である光結合状態検知手段の構造について説明する。本実施形態における光結合状態検知手段は、固定片５ａ、固定接点６ａ、可動接点７ａ、共通端子８ａ、導電部８ｃ、表示部９ａ、電源Ｅからなる第１の光結合状態検知手段と、固定片５ｂ、固定接点６ｂ、可動接点７ｂ、共通端子８ｂ、導電部８ｄ、表示部９ｂ、電源Ｅからなる第２の光結合状態検知手段とからなる。
【００２６】
各固定片５ａ、５ｂは、短冊状の板ばねからなるものであって、ベース１１の底面に固定され、ベース１１の底面から略直角にカバー１２に向かって突設されている。各固定片５ａ、５ｂの突設方向の先端部は、平衡ばね２７の長手方向の側面と対向しており、それぞれの対向する側の面には固定接点６ａ、６ｂが設けられている。
【００２７】
両固定片５ａ、５ｂは、幅や高さが同一になるよう形成されており、両固定片５ａ、５ｂ間の距離は、移動方向における平衡ばね２７の幅（図１における矢印方向の平衡ばね２７の幅）Ｗ１よりも大きく、このＷ１にアマチュア２１の移動量Ｗ２を足した距離よりも小さい範囲内の最適な間隔に設定してある。この固定片５ａ、５ｂはベリリウム銅のようなばね材からなり底部から突設される角度を調整することができる。
【００２８】
一方の固定片５ａはばね素片２７ａａ、２７ａｃからなるばね片２７ａと、他方の固定片５ｂはばね素片２７ａｂ、２７ａｄからなるばね片２７ａとそれぞれ対向するよう、アマチュア２１の長手方向の中央部に設置されている。
【００２９】
このように設置した光結合状態検知手段は、アマチュア２１が駆動してセット状態にある場合にはリセット方向にばね負荷が付勢され、リセット状態にある場合はセット方向にばね負荷が付勢される。
【００３０】
可動接点７ａ、７ｂは、平衡ばね２７の長手方向の側面であって、それぞれ固定接点６ａ、６ｂと対向する部位に設けられている。
【００３１】
共通端子８ａ、８ｂは、両固定板２８のそれぞれからベース１１側に向かって突設されるものであり、固定板２８と一体に形成されている。
【００３２】
導通部８ｃ、８ｄは、一端がそれぞれ固定片５ａ、５ｂと電気的に接続され、他端がそれぞれ共通端子８ａ、８ｂと電気的に接続されている。そして、それぞれ固定片５ａ、５ｂと平衡ばね２７が、固定接点６ａ、６ｂ及び可動接点７ａ、７ｂを介して接触した場合に、電気回路を形成し、それぞれの電気回路には電源Ｅ及び表示部９ａ、９ｂが接続されている。
【００３３】
表示部９ａ、９ｂとしては、ＬＥＤのような発光素子を用いた。なお、表示部９ａ、９ｂはこれに限定されるものではなく、前記電気回路における計測した電流値や電圧値を表示して、光結合状態を確認するものであってもよく、その他、通電状態を表示する公知の手段を用いることができる。
【００３４】
かかる光結合状態検知手段の動作の詳細を、図３に基づいて以下に説明する。同図において、アマチュア２１は左右に移動し、アマチュア２１が右側に位置する場合はリセット状態であり、左側に位置する場合はセット状態になっている。同図（ａ）は、リセット状態にある場合を示しており、この状態では平衡ばね２７のばね負荷はセット方向に生じている。このとき、固定片５ａの先端部は弾性変形され、そのため、固定接点６ａと可動接点７ａとの接触部には、固定片５ａによるばね負荷が付勢され、アマチュア２１の右側の側面には、平衡ばね２７と固定片５ａの双方よりばね負荷が付勢されるようになっている。
【００３５】
また、このとき、第１の光結合状態検知手段には電気回路が形成され、すなわち、可動接点７ａと固定接点６ａは接触し、平衡ばね２７、固定片５ａ、電源Ｅ、表示部９ａ、共通端子８ａは電気的に接続された状態となり、表示部９ａである発光素子は、電源Ｅより電力が供給されて発光する。
【００３６】
このようなリセット状態からセット状態に移行すると、同図（ｂ）に示すように、アマチュア２１が移行過程の略中間地点においては、固定片５ａ、５ｂのいずれもが平衡ばね２７とは非接触状態となり、平衡ばね２７は、固定片５ａ、５ｂのいずれからもばね負荷を付勢されないとともに、第１の光結合状態検知手段及び第２の光結合状態検知手段ともに電気回路が形成されないので、いずれの表示部９ａ、９ｂも発光しない。
【００３７】
その後、同図（ｃ）に示すように、アマチュア２１がさらに移動してセット状態である左側に位置する場合は、平衡ばね２７により固定片５ｂの先端部は、アマチュア２１とともに移動した平衡ばね２７により弾性変形されている。そのため、同図（ａ）における固定片５ａの場合と同様に、固定接点６ｂと可動接点７ｂとの接触部には、固定片５ｂによるばね負荷が付勢され、アマチュア２１の左側の側面には、平衡ばね２７と固定片５ｂの双方よりばね負荷が付勢されるようになっている。このとき、第２の光結合状態検知手段には電気回路が形成され、すなわち、可動接点７ｂと固定接点６ｂは接触し、平衡ばね２７、固定片５ｂ、電源Ｅ、表示部９ｂ、共通端子８ｂは電気的に接続された状態となり、表示部である発光素子９ｂは、電源Ｅより電力が供給されて発光する。
【００３８】
このような構成にすることで、平衡ばね２７によってアマチュア２１へ所望のばね負荷が付勢されて所望の光結合状態となっていることを表示部９ａ、９ｂにより肉眼で容易に確認することができる。その上、本実施形態における光結合状態検知手段は、器体１に固定されて、いずれかの光結合状態で平衡ばね２７と接触する導電性部材からなる固定片５ａ、５ｂと、この固定片５ａ、５ｂが平衡ばね２７と接触した状態で各固定片５ａ、５ｂと平衡ばね２７を電気的に接続して電気回路を形成する導通部８ｃ、８ｄと、電気回路が形成されたことを表示する表示部９ａ、９ｂとからなるので、リセット状態のときは第１の光結合状態検知手段に電気回路が形成され、セット状態のときは第２の光結合状態検知手段に電気回路が形成されて、表示部９ａ、９ｂがそれを表示する。そのため、光の結合状態がセット状態やリセット状態となったことを確実に検知及び表示することができる。
【００３９】
また、本実施形態においては、固定片５ａ、５ｂが平衡ばね２７と接触する際の、固定片５ａ、５ｂ及び平衡ばね２７のそれぞれの相手方との接触部位には、固定接点６ａ、６ｂ及び可動接点７ａ、７ｂを設けてなるので、固定片５ａ、５ｂと前記平衡ばね２７との接触がより確実になり、接触の検知精度がより向上する。
【００４０】
また、固定片５ａ、５ｂはいずれも、塑性変形させてベース１１から突設する角度を調整することにより、平衡ばね２７に付勢するばね負荷を増減して、最適なばね負荷となるよう調節することができる。
【００４１】
このような構成にすることにより、光スイッチが一旦組み立てられた後であっても、固定片５ａ、５ｂによりアマチュア２１にばね負荷を付勢することができる。そのため、光スイッチが組み立てられた結果、平衡ばね２７によりアマチュア２１に付勢されるばね負荷に過不足がある場合でも、固定片５ａ、５ｂによりアマチュア２１に所望のばね負荷を付勢して、全体としてアマチュア２１に付勢されるばね負荷を容易に増減して調整することができる。特に本実施形態においては、いずれの光結合状態においても、アマチュア２１の他の光結合状態に変化する移動方向にばね負荷を付勢することでき、セット方向・リセット方向の双方向において平衡ばね２７によりアマチュア２１に付勢されるばね負荷に過不足がある場合でも、固定片５ａ、５ｂによりアマチュア２１に所望のばね負荷を付勢して、全体としてアマチュア２１に付勢されるばね負荷を容易に増減して調整することができる。
【００４２】
なお、本実施形態においては、固定片５ａ、５ｂと平衡ばね２７の接触部位には、固定接点６ａ、６ｂと可動接点７ａ、７ｂのいずれもが設けられていたが、これに限定されるものではなく、固定接点６ａ、６ｂと可動接点７ａ、７ｂのいずれか一方のみがもうけられるものであってもよく、以下の実施形態においても同様であるものとする。
【００４３】
また、本実施形態においては、リセット状態の光結合状態を検知して表示する第１の光結合状態検知手段と、セット状態の光結合状態を検知して表示する第２の光結合状態検知手段のいずれをも備えるものであったが、これに限定されるものではなく、いずれか一方のみの光結合状態を検知して表示するものを備えたものであってもよい。
【００４４】
さらに、本実施形態においては、アマチュア２１の長手方向の中央部付近に固定片５ａ、５ｂのみが設置されているものであったが、これに限定されるものではなく、長手方向に等間隔に複数個設置するものであってもよく、以下の実施形態においても同様であるものとする。
【００４５】
（実施形態２）
本発明の第２の実施形態を図４に基づいて説明する。図４において、５ａ、５ｂは固定片、６ａ、６ｂは固定接点、７ａ、７ｂは可動接点、８ａ、８ｂは共通端子、８ｃ、８ｄは導通部、９ａ、９ｂは表示装置、２７は平衡ばね、Ｅは電源である。
【００４６】
本実施形態においては、固定片５ａ、５ｂが、平衡ばね２７の側面の内部側で接触するものであることに特徴を有し、その他の構成については第1の実施形態と同一であるので、第1の実施形態と共通するものについては同一の付番を付して説明を省略する。
【００４７】
図４は、本実施形態における光結合状態検知手段の動作の概略を示す側面図である。なお、同図において、アマチュア２１は左右に移動し、アマチュア２１が右側に位置する場合はリセット状態であり、左側に位置する場合はセット状態になっている。
【００４８】
本実施形態おいては、同図に示すように、固定片５ａ、５ｂの先端部は、平衡ばね２７の長手方向の内側の側面と対向しており、それぞれの対向する側の面には固定接点６ａ、６ｂが設けられている。
【００４９】
同図（ａ）は、プリズムがリセット状態にある場合を示しており、この状態では平衡ばね２７のばね負荷はセット方向に生じている。このとき、固定片５ｂの先端部は弾性変形され、そのため、固定接点６ｂと可動接点７ｂとの接触部には、固定片５ｂによるばね負荷が付勢され、アマチュア２１の側面には、平衡ばね２７と固定片５ｂの双方よりばね負荷が付勢されるようになっている。
【００５０】
また、このとき、第２の光結合状態検知手段には電気回路が形成され、すなわち、可動接点７ｂと固定接点６ｂは接触し、平衡ばね２７、固定片５ｂ、電源Ｅ、表示部９ｂ、共通端子８ｂは電気的に接続された状態となり、表示部である発光素子９ｂは、電源Ｅより電力が供給されて発光する。
【００５１】
このようなリセット状態からセット状態に移行すると、同図（ｂ）に示すように、アマチュア２１が移行過程の略中間地点においては、固定片５ａ、５ｂのいずれもが平衡ばね２７とは非接触状態となり、平衡ばね２７は、固定片５ａ、５ｂのいずれからもばね負荷を付勢されないとともに、第１の光結合状態検知手段及び第２の光結合状態検知手段ともに電気回路が形成されないので、いずれの表示部９ａ、９ｂも発光しない。
【００５２】
その後、同図（ｃ）に示すように、アマチュア２１がさらに移動してセット状態である左側に位置する場合は、平衡ばね２７により固定片５ａの先端部は、アマチュア２１とともに移動した平衡ばね２７により弾性変形されている。そのため、同図（ａ）における固定片５ｂの場合と同様に、固定接点６ａと可動接点７ａとの接触部には、固定片５ａによるばね負荷が付勢され、アマチュア２１の側面には、平衡ばね２７と固定片５ａの双方よりばね負荷が付勢されるようになっている。このとき、第１の光結合状態検知手段には電気回路が形成され、すなわち、可動接点７ａと固定接点６ａは接触し、平衡ばね２７、固定片５ａ、電源Ｅ、表示部９ａ、共通端子８ａは電気的に接続された状態となり、表示部である発光素子９ａは、電源Ｅより電力が供給されて発光する。
【００５３】
このような構成においては、固定片５ａ、５ｂは、平衡ばね２７の内側にあるため、器体の長手方向の幅を小さくすることができ、光スイッチの更なる小型化を図ることができる。
【００５４】
（実施形態３）
本発明の第３の実施形態を図５に基づいて説明する。図５において、５ａ、５ｂは固定片、６ａ、６ｂは固定接点、７ａ、７ｂは可動接点、８ａ、８ｂは共通端子、８ｃ、８ｄは導通部、９ａ、９ｂは表示装置、２７は平衡ばね、Ｅは電源である。
【００５５】
本実施形態においては、固定片５ａ、５ｂが、平衡ばね２７の一方の側面のみと離接することに特徴を有し、その他の構成については第1の実施形態と同一であるので、第1の実施形態と共通するものについては同一の付番を付して説明を省略する。
【００５６】
図５は、本実施形態における光結合状態検知手段の動作の概略を示す側面図である。なお、同図において、アマチュア２１は左右に移動し、アマチュア２１が右側に位置する場合はリセット状態であり、左側に位置する場合はセット状態になっている。
【００５７】
本実施形態おいては、同図に示すように、固定片５ａは、平衡ばね２７の、プリズムが固定されていない側の側面（図５における右側の側面）の外側から、固定片５ｂは、同じくプリズムが固定されていない側の側面の内側から、それぞれ平衡ばね２７の長手方向の内側の側面と対向しており、それぞれの対向する側の面には固定接点６ａ、６ｂが設けられている。また、平衡ばね２７の固定接点６ａ、６ｂと対向する部位には、可動接点７ａ、７ｂが設けられている。すなわち、可動接点７ａ、７ｂは、平衡ばね２７の一方の側面の内外面に設けられている。
【００５８】
同図（ａ）は、プリズムがリセット状態にある場合を示しており、この状態では平衡ばね２７のばね負荷はセット方向に生じている。このとき、固定片５ａの先端部は弾性変形され、そのため、固定接点６ａと可動接点７ａとの接触部には、固定片５ａによるばね負荷が付勢され、アマチュア２１の側面には、平衡ばね２７と固定片５ａの双方よりばね負荷が付勢されるようになっている。
【００５９】
また、このとき、第２の光結合状態検知手段には電気回路が形成され、すなわち、可動接点７ａと固定接点６ａは接触し、平衡ばね２７、固定片５ａ、電源Ｅ、表示部９ａ、共通端子８ａは電気的に接続された状態となり、表示部である発光素子９ａは、電源Ｅより電力が供給されて発光する。
【００６０】
このようなリセット状態からセット状態に移行すると、同図（ｂ）に示すように、アマチュア２１が移行過程の略中間地点においては、固定片５ａ、５ｂのいずれもが平衡ばね２７とは非接触状態となり、平衡ばね２７は、固定片５ａ、５ｂのいずれからもばね負荷を付勢されないとともに、第１の光結合状態検知手段及び第２の光結合状態検知手段ともに電気回路が形成されないので、いずれの表示部９ａ、９ｂも発光しない。
【００６１】
その後、同図（ｃ）に示すように、アマチュア２１がさらに移動してセット状態である左側に位置する場合は、平衡ばね２７により固定片５ｂの先端部は、アマチュア２１とともに移動した平衡ばね２７により弾性変形されている。そのため、同図（ａ）における固定片５ａの場合と同様に、固定接点６ｂと可動接点７ｂとの接触部には、固定片５ｂによるばね負荷が付勢され、アマチュア２１の側面には、平衡ばね２７と固定片５ｂの双方よりばね負荷が付勢されるようになっている。このとき、第１の光結合状態検知手段には電気回路が形成され、すなわち、可動接点７ｂと固定接点６ｂは接触し、平衡ばね２７、固定片５ｂ、電源Ｅ、表示部９ｂ、共通端子８ｂは電気的に接続された状態となり、表示部である発光素子９ｂは、電源Ｅより電力が供給されて発光する。
【００６２】
このような構成においては、固定片５ａ、５ｂは、平衡ばね２７の一方の側面の内外面にあるため、器体の長手方向の幅を小さくすることができ、光スイッチの更なる小型化を図ることができる。
【図面の簡単な説明】
【００６３】
【図１】第１の実施形態における光スイッチの概略を示す分解斜視図である。
【図２】第1の実施形態におけるアマチュアブロックの概略を示す分解斜視図である。
【図３】第1の実施形態における光結合状態検知手段の動作の概略を示す側面図である。
【図４】第２の実施形態における光結合状態検知手段の動作の概略を示す側面図である
【図５】第３の実施形態における光結合状態検知手段の動作の概略を示す側面図である
【図６】従来例を示す概略図である。
【符号の説明】
【００６４】
１      器体
２      電磁石装置
３      光路切換装置
５ａ、５ｂ  固定片
９ａ、９ｂ  表示部
２１    アマチュア
２１ａ、２１ｂ  接極片
２３    コイル
２５    鉄芯
２５ａ、２５ｂ  磁極片
２７    平衡ばね
３１    プリズム
【図１】
2005241667.tif 000003
【図２】
2005241667.tif 000004
【図３】
2005241667.tif 000005
【図４】
2005241667.tif 000006
【図５】
2005241667.tif 000007
【図６】
2005241667.tif 000008